(57)【要約】【課題】内視鏡の先端部において細径化を図る。【解決手段】先端側から、ケース筒によって構成される本体部と、本体部に続くツナギ管によって構成される連結部と、連結部に続く湾曲駒管から構成される湾曲部とからなる電子内視鏡の先端部において、本体部には電子内視鏡による観察像を撮像素子の撮像面に結ばせる対物レンズを保持する対物レンズ筒が収納され、対物レンズ筒には撮像素子から発生する放射ノイズを遮蔽するためのシールドパイプを介して先端部に撮像素子ユニットが設けられている撮像ユニット保持筒が連結され、撮像素子ユニットと撮像ユニット保持筒内に収納された電子部品等はシールドパイプに被覆される領域に位置し、シールドパイプの基端側と撮像ユニット保持筒の軸方向全周に巻き付けられる絶縁テープの先端側は、ともに重なり合わずツナギ管の絶縁領域の基端よりも電子内視鏡の先端側に位置する電子内視鏡の先端部の内部構造を提供する。【選択図】図２
2010268922.tif 000002
【特許請求の範囲】
【請求項１】
先端側から、中空円筒状のケース筒によって構成される本体部と、該本体部に続く中空円筒状のツナギ管によって構成される連結部と、該連結部に続く湾曲駒管から構成される湾曲部とからなる電子内視鏡の体腔内挿入管の先端部の内部構造において、
前記本体部には、前記電子内視鏡による観察像を撮像素子の撮像面に結ばせる対物レンズを保持する対物レンズ筒が収納され、
前記対物レンズ筒には、前記撮像素子から発生する放射ノイズを遮蔽するためのシールドパイプを介して、先端部に撮像素子ユニットが設けられている撮像ユニット保持筒が連結され、
前記撮像素子ユニットと前記撮像ユニット保持筒内に収納された電子部品等は、前記シールドパイプに被覆される領域に位置し、
前記シールドパイプの基端側と前記撮像ユニット保持筒の軸方向全周にわたって巻き付けられる絶縁テープの先端側は、ともに重なり合わずかつ前記ツナギ管の絶縁領域の基端よりも前記電子内視鏡の先端側に位置する、
ことを特徴とする電子内視鏡の体腔内挿入管の先端部の内部構造。
【請求項２】
前記撮像ユニット保持筒と該撮像ユニット保持筒に巻き付けられた前記絶縁テープとの間には、導通板が該撮像ユニット保持筒の軸方向にわたって設けられており、
前記導通板の先端は前記ツナギ管の絶縁領域に臨み、該導通板の基端は前記撮像ユニット保持筒の基端に配置された撮像素子ケーブルのアース線に導通されている、
ことを特徴とする請求項１に記載の電子内視鏡の体腔内挿入管の先端部の内部構造。
【請求項３】
前記本体部は、少なくとも３つのケース筒で構成され、
前記体腔内挿入管の先端部の最先端を構成するケース筒内に嵌め込まれるケース筒が絶縁部材にて形成されている、
ことを特徴とする請求項１または請求項２に記載の電子内視鏡の体腔内挿入管の先端部の内部構造。
【請求項４】
前記連結部は、少なくとも３つのツナギ管で構成され、そのうちの中間のツナギ管が絶縁部材にて形成されている、
ことを特徴とする請求項１から請求項３のいずれか１項に記載の電子内視鏡の体腔内挿入管の先端部の内部構造。
【請求項５】
前記シールドパイプの軸方向の長さは、前記撮像ユニット保持筒の軸方向の全長の約３分の１を覆う長さである、
ことを特徴とする請求項１から請求項４のいずれか１項に記載の電子内視鏡の体腔内挿入管の先端部の内部構造。
【発明の詳細な説明】
【技術分野】
【０００１】
本発明は、内視鏡先端部の構造に関し、より詳しくは、内視鏡先端部において外径の細径化を実現する構造に関する。
【背景技術】
【０００２】
医師が患者の体腔内を観察するときに使用する内視鏡において、先端部が湾曲する軟性部を有する軟性内視鏡では、先端部に装着された撮像素子（ＣＣＤイメージセンサやＣＭＯＳイメージセンサなど）およびその他の電子部品類が収納された撮像ユニットから発生する放射ノイズを抑える必要がある。そのため、撮像ユニット保持筒の全周を金属製の薄肉シールドパイプで覆い、さらに、該シールドパイプの全周にわたって電気絶縁性のテープを隙間なく巻き付けている。
【０００３】
特許文献１には、このような内視鏡先端部の構造が開示されている。図１にそのような構造の概略図を示す。内視鏡先端の本体部１は、長目の中空円筒状のケース筒２ａと該ケース筒２ａの先端部内に嵌め込まれた短目の中空円筒状のケース筒２ｂとからなる金属製のケースである。該内視鏡先端の本体部１内には、観察対象物の像を撮像素子の撮像面に結ばせる対物レンズ群３を収納した対物レンズ筒４と撮像素子とその他の電子部品類が収納された撮像ユニット保持筒８の先端側が収納される。また、内視鏡先端の本体部１と対物レンズ筒４の間には絶縁筒５が挟持されており、対物レンズ筒４の先端部と絶縁筒５の先端部との間に形成された隙間には、電気絶縁性の接着剤９が充填されている。そして、撮像素子等から発生する放射ノイズは、前述の金属製のシールドパイプ６によって遮蔽される。また、撮像素子ケーブル１０のアース線（図示せず）がシールドパイプ６に接続されているため、放射ノイズがグラウンドに落ちる。撮像素子ケーブル１０は、撮像素子からの画像信号を操作部（図示せず）を経由してビデオプロセッサ内の画像処理回路に伝送する。
【０００４】
このような構造を採用することにより、撮像ユニットと外部との絶縁は、シールドパイプ６の全周を覆う電気絶縁性の絶縁テープ７、対物レンズ筒４の外側に設けられている絶縁筒５、および対物レンズの先端部に充填される電気絶縁性の接着剤９によって保たれている。結果として、電気的な安全が確保され、かつ外部へのノイズ漏れが防止される。
【先行技術文献】
【特許文献】
【０００５】
【特許文献１】特開２００４−１５９７７３号公報
【発明の概要】
【発明が解決しようとする課題】
【０００６】
このように、従来の内視鏡先端部においては、放射ノイズを抑えるために撮像素子等が収納された撮像ユニット保持筒をシールドパイプと絶縁テープで覆う必要があった。そのため、シールドパイプの厚さと巻き付ける絶縁テープの厚さ分のスペースを確保しなければならず、このことが先端部の外径を太くする原因の１つとなっていた。
【０００７】
本発明は上記の事情に鑑みてなされたものである。本発明の目的は、内視鏡の撮像素子の放射ノイズを除去しながらも先端部を細径化するための内視鏡先端部の構造を提供することである。
【課題を解決するための手段】
【０００８】
本発明の一実施形態によれば、先端側から、中空円筒状のケース筒によって構成される本体部と、該本体部に続く中空円筒状のツナギ管によって構成される連結部と、該連結部に続く湾曲駒管から構成される湾曲部とからなる電子内視鏡の体腔内挿入管の先端部の内部構造において、本体部には、電子内視鏡による観察像を撮像素子の撮像面に結ばせる対物レンズを保持する対物レンズ筒が収納され、対物レンズ筒には、撮像素子から発生する放射ノイズを遮蔽するためのシールドパイプを介して、先端部に撮像素子ユニットが設けられている撮像ユニット保持筒が連結され、撮像素子ユニットと撮像ユニット保持筒内に収納された電子部品等は、シールドパイプに被覆される領域に位置し、シールドパイプの基端側と撮像ユニット保持筒の軸方向全周にわたって巻き付けられる絶縁テープの先端側は、ともに重なり合わずかつツナギ管の絶縁領域の基端よりも電子内視鏡の先端側に位置する。このため、撮像素子からの放射ノイズをシールドパイプによって除去しながら、撮像ユニット保持部の外周における内視鏡先端部の内径スペースの確保が容易になるとともに、撮像ユニット保持部を囲む内視鏡先端部の各部材の内径を小さくすることができる。
【０００９】
また、本発明の別の実施形態によれば、撮像ユニット保持筒と該撮像ユニット保持筒に巻き付けられた絶縁テープとの間には、導通板が該撮像ユニット保持筒の軸方向にわたって設けられており、導通板の先端はツナギ管の絶縁領域に臨み、該導通板の基端は撮像ユニット保持筒の基端に配置された撮像素子ケーブルのアース線に導通されている。このため、撮像素子からの放射ノイズをシールドパイプと導通板によって遮蔽するとともに、放射ノイズをアース線によって撮像素子ケーブルに落とすことができる。また、内視鏡先端部において撮像素子からの放射ノイズを除去しながら細径化を図る上で、管状部材と絶縁テープと導通板を適切な長さで設けることができる。
【００１０】
本発明のさらに別の実施形態によれば、本体部は、少なくとも３つのケース筒で構成され、体腔内挿入管の先端部の最先端を構成するケース筒内に嵌め込まれるケース筒が絶縁部材にて形成されている。さらに、連結部は、少なくとも３つのツナギ管で構成され、そのうちの中間のツナギ管が絶縁部材にて形成されている。また、シールドパイプの軸方向の長さは、撮像ユニット保持筒の軸方向の全長の約３分の１を覆う長さである。このため、必要な数以上に絶縁部材を設けることなく、内視鏡先端部の細径化を達成することができる。
【発明の効果】
【００１１】
したがって、本発明の内視鏡先端部の構造によれば、既存の内視鏡先端部に比べてシールドパイプと絶縁テープを設けるためのスペースを小さくすることで内視鏡先端部の細径化を図ることができるため、施術時における内視鏡の操作性や挿入性を向上させることができる。
【図面の簡単な説明】
【００１２】
【図１】従来の内視鏡先端部を示す概略断面図である。
【図２】本発明の実施形態における内視鏡の一部を構成する体腔内挿入管の先端部を示す概略断面図である。
【図３】本発明の実施形態における内視鏡の一部を構成する体腔内挿入管の先端部のケース筒およびライトガイドファイバを示す斜視図である。
【図４】本発明の実施形態における内視鏡の一部を構成する体腔内挿入管の先端部のツナギ管、絶縁管、湾曲駒管を示す斜視図である。
【図５】本発明の実施形態における内視鏡の一部を構成する体腔内挿入管の内部構成を示す斜視図である。
【発明を実施するための形態】
【００１３】
以下、図面を参照して、本発明の実施形態における内視鏡の一部を構成する体腔内挿入管の先端構造について説明する。なお、複数の図にまたがって同じ部材を示す場合は同じ番号を付すこととする。また、以下の説明において、各部材の先端とはそれぞれ内視鏡の体腔内挿入管の先端部側の端部を意味し、各部材の基端とはそれぞれ内視鏡の基端部（操作部）側の端部を意味するものとする。
【００１４】
図２は、本発明の一実施形態における内視鏡の一部を構成する体腔内挿入管の先端部を示す概略断面図であり、図３は、内視鏡先端部のケース筒およびライトガイドファイバを示す斜視図である。図２および図３に示すように、内視鏡の一部を構成する体腔内挿入管先端の本体部１００は、中空円筒状の３つのケース筒１０２ａ，１０２ｂおよび１０２ｃとから構成されている。最先端に位置するケース筒１０２ａの中空内には、絶縁性を保つために樹脂またはセラミックス材等からなるケース筒１０２ｂの先端部が嵌め合わされている。さらに、ケース筒１０２ｂの基端部は、ケース筒１０２ｃの先端部内周面に嵌め合わされている。なお、ケース筒１０２ｂは、図３に示すように、その両脇がその軸方向にわたって切り欠かれており、かかる切欠部は、内視鏡の体腔内挿入管の先端を正面から見たとき、弦と円弧とで形成される空間がケース筒１０２ｂの両端にわたって形成されている。そして、ケース筒１０２ｂを、ケース筒１０２ａ，１０２ｃとに上述の如く嵌め合わせた際にできるこの切欠部にはライトガイドファイバ２０１ａ，２０１ｂが挿入される。
【００１５】
ライトガイドファイバ２０１ａ，２０１ｂは光ファイババンドルであり、ビデオプロセッサ（図示せず）の光源から発生する光を内視鏡の体腔内挿入管先端まで導光し、照明光として観察対象物に射出する。ライトガイドファイバ２０１ａ，２０１ｂは、治具（図示せず）を用いて規定の外形寸法になるようにケース筒１０２ｂ，１０２ｃに接着および硬化される。次に、ライトガイドファイバ２０１ａ，２０１ｂの先端面を揃えるために、バフ研磨等で端面が研磨される。研磨後、ケース筒１０２ｂにケース筒１０２ａが嵌め合わせられ、ライトガイドファイバ２０１ａおよび２０１ｂの先端面を揃えた状態で、電気絶縁性の接着剤によってケース筒１０２ａと１０２ｂとが互いに固定される。
【００１６】
ケース筒１０２ｂの中空内には、金属製の対物レンズ筒１０４の先端部および中間部が嵌め込まれている。そして、該対物レンズ筒１０４内には、図２に示すように、内視鏡の観察像を撮像素子の撮像面に結ばせる対物レンズ群１０３が収納されている。ここで、図５は、本発明の一実施形態における内視鏡の一部を構成する体腔内挿入管の内部構成を示す斜視図である。図５に示すように、対物レンズ筒１０４の基端部は、四角柱形状の筒部となっており、該筒部の外柱面には、同一形状の中空管状部材であるシールドパイプ１０６の先端部が嵌め合わされている。さらに、対物レンズ群１０３のうち最も先端側の対物レンズは、図２から明らかなように、対物レンズ筒１０４から突き出ており、該対物レンズの側面とケース筒１０２ｂの内周面との間には、環状の隙間が形成されるので、かかる隙間には、電気絶縁性の接着剤１０９が充填されて固定されている。
【００１７】
図２および図５に示すように、撮像ユニット保持筒１０８ｂに絶縁テープ１０７ａが巻き付けられている。ここで、撮像ユニット保持筒１０８ｂは、撮像素子の一部やその他の電子部品類を収納するための四角柱形状の中空部材である。また、撮像素子ユニット１０８ａは、撮像素子や光学ローパスフィルタ等が組み込まれた部材である。撮像ユニット保持筒１０８ｂの先端側は、シールドパイプ１０６の中間部内において、絶縁テープ１０７ａを介してシールドパイプ１０６と嵌め合い固定されている。そして、撮像ユニット保持筒１０８ｂの先端に突出して設けられた撮像素子ユニット１０８ａは、シールドパイプ１０６内において対物レンズ筒１０４と撮像ユニット保持筒１０８ｂとの間に位置しており、対物レンズ群１０３によって結ばれる内視鏡の観察像をその撮像面にて受光する。先端部がシールドパイプ１０６に嵌め合わされた状態にある撮像ユニット保持筒１０８ｂの中間部から基端部にかけては、その外周面全面に、絶縁テープ１０７ａとは独立した絶縁テープ１０７ｂが巻き付けられている。なお、該絶縁テープ１０７ｂと撮像ユニット保持筒１０８ｂの間には、銅や銀、アルミ等からなる導通板１１１が挟まれている。
【００１８】
導通板１１１は、撮像ユニット保持筒１０８ｂの軸方向にわたっていずれか１つの側面に設けられており、その先端は、図５に示すように、シールドパイプ１０６の方形の切欠部に至っており、その基端は、撮像ユニット保持筒１０８ｂの基端に至っており、撮像ユニット保持筒１０８ｂの電磁両立性（ＥＭＣ）を向上させる役割を果たす。先に述べた絶縁テープ１０７ａは、対物レンズ群１０３と撮像素子との光軸合わせと撮像素子の絶縁を行うために巻き付けられている。撮像素子と対物レンズ群１０３のピント出しを行った後、撮像ユニット保持筒１０８ｂはシールドパイプ１０６に嵌め合わされる。また、撮像ユニット保持筒１０８ｂの基端に配置された撮像素子ケーブル１１０のアース線（図示せず）が、はんだ付けにより導通板１１１の基端に電気的に繋がれている。撮像素子ケーブル１１０は、撮像素子からの撮像信号をビデオプロセッサに伝達する。撮像素子から発生する放射ノイズは、シールドパイプ１０６によって遮蔽され、導通板１１１とアース線を伝ってグラウンドに落ちる。なお、シールドパイプ１０６は、迷光等の撮像に不要な光が撮像素子に入射しないようにする役割も果たしている。
【００１９】
図２に示すように、ケース筒１０２ｃの基端外周面には、中空円筒状の金属製の第１のツナギ管１１２の先端側内周面が嵌め合わされて、ピン１１５によって互いに結合されている。該第１のツナギ管１１２は、図２および図４から分かるように、先端側が大径で基端側が小径でその中間に段差が形成された管である。先にも述べたように、第１のツナギ管１１２の先端側はケース筒１０２ｃに嵌め合わされており、その基端側の外周面には、樹脂またはセラミックス材等からなる絶縁管１１３の内周面が嵌め合わされている。図２に示すように、該絶縁管１１３は、その中間部が肉薄で先端側と基端側が肉厚の管であり、中間部と先端側の境には上向きの段差が、中間部と基端側の境には下向きの段差が形成されている。したがって、第１のツナギ管１１２と絶縁管１１３を嵌め合わせると、絶縁管１１３の先端縁は第１のツナギ管１１２の段差に当接し、第１のツナギ管１１２の基端縁は、絶縁管１１３の下向きの段差に当接して、第１のツナギ管１１２と絶縁管１１３の外周面も内周面も、当接した側では面一となる。
【００２０】
さらに、該絶縁管１１３の基端側外周面には、第２のツナギ管１１４の先端側内周面が嵌り込む。ここで、図４は、本発明の一実施形態における内視鏡の一部を構成する体腔内挿入管の先端部のツナギ管、絶縁管、湾曲駒管を示す斜視図である。図２および図４に示すように、該第２のツナギ管１１４は、その先端側から基端側に向かうにしたがって大径部１１４ａ、中径部１１４ｂ、小径部１１４ｃとなる管であり、大径部１１４ａと中径部１１４ｂとの境並びに中径部１１４ｂと小径部１１４ｃとの境には上向き並びに下向きに向かう段差が形成される。したがって、絶縁管１１３と第２のツナギ管１１４を嵌め合わせると、第２のツナギ管１１４の先端縁は、絶縁管１１３の上向きの段差に当接し、絶縁管１１３の基端縁は、第２のツナギ管１１４の大径部１１４ａと中径部１１４ｂとの境の下向きの段差に当接し、絶縁管１１３と第２のツナギ管１１４の外周面も内周面も、当接した側では面一となる。
【００２１】
金属製の湾曲駒管１１８は、複数の湾曲駒管が連続して繋ぎ合わされた湾曲部である。図４では、湾曲駒管１１８ａ，１１８ｂの２つしか湾曲駒管は示されていないが、実際は湾曲駒管１１８ｂからビデオプロセッサ側に向かって多数の湾曲駒管が湾曲自在に連結されている。そして、湾曲駒管１１８ａの先端内周面が小径部１１４ｃに嵌め合い固定されており、第２のツナギ管１１４の中径部１１４ｂの外周面と湾曲駒管１１８の外周面の全域にわたって金属製の極細径の糸を編んで形成された網チューブ１１６が被せられている。また、該網チューブ１１６の先端部には、緊縛糸１１７が巻き付けられ、該緊縛糸１１７によって、第２のツナギ管１１４の中径部１１４ｂ外周面に、網チューブ１１６の先端部が緊縛固定されている。
【００２２】
上記の如く説明された第１のツナギ管１１２、絶縁管１１３（この絶縁管１１３も１つのツナギ管と見ることができる）および第２のツナギ管１１４によって連結部が構成されており、該連結部を構成するそれぞれの部材は、電気絶縁性の接着剤で嵌め合い固定される。また、図４に示されるように、第１のツナギ管１１２には、ピン１１５を挿通させるための留めピン穴１１２ａ，１１２ｂが設けられ、第２のツナギ管１１４には電気絶縁性の接着剤を流し入れる流し穴１１４ｄ，１１４ｅ（１１４ｅの流し穴は、流し穴１１４ｄに対向する側に設けられているため、図上には現れていない。）がそれぞれ設けられている。これらの穴が一致するように、第１のツナギ管１１２と第２のツナギ管１１４との互いの位置合わせを行った後、各ツナギ管１１２，１１４は電気絶縁性の接着剤で固定される。
【００２３】
湾曲駒管１１８の先端部内周面には、第２のツナギ管１１４の軸方向に切り欠かれた方形の切欠部１１４ｆを通過して、内視鏡の体腔内挿入管の先端部を湾曲させるための金属製のアングルワイヤ１２０ａ，１２０ｂの先端が取り付けられている。本実施形態では、極細径の内視鏡先端部を想定しているため湾曲方向を２方向とする。よって、アングルワイヤを２本設けている。ただし、アングルワイヤを２本以上設けて、内視鏡先端部を上下左右に湾曲させる構成としてもよいし、アングルワイヤを設ける位置も任意に決定することができる。本体部１００、連結部（第１のツナギ管１１２、絶縁管１１３、第２のツナギ管１１４）並びに湾曲駒管１１８等の各部材を順次繋ぎ合わせた後、これらの部材上にアングルゴム管１２１を緊密に被覆させる。さらに、アングルゴム管１２１の先端縁を、ケース筒１０２ｂの外周面に形成された凸部とケース筒１０２ａの基端縁とに当接させる。そして、アングルゴム管１２１の先端部を緊縛糸１２２によりケース筒１０２ｂの外周面に緊縛固定する。また、緊縛糸１２２の上には緊縛糸１２２を保護するための保護材を盛る。このように組み付けることで図２に示す内視鏡先端部を構成することができる。
【００２４】
以上の説明から明らかなように、絶縁テープ１０７ｂはシールドパイプ１０６を覆わないように巻き付けられている。さらに、絶縁テープ１０７ｂは、導通板１１１と第２のツナギ管１１４とが導通しないように導通板１１１を覆っている。したがって、内視鏡先端部の絶縁性を確保しながらも、絶縁テープ１０７ｂとシールドパイプ１０６が互いに重ならないようにし、さらにシールドパイプ１０６の長さを短くすることができるため、内視鏡先端部を細径化することができる。なお、撮像ユニット保持筒１０８ｂにおいて絶縁テープ１０７ｂの巻き付け部分が余分に厚くならないようにするため、絶縁テープ１０７ｂの貼り合わせ部分は、導通板１１１と重ならないように位置している。例えば図２では、絶縁テープ１０７ｂの貼り合わせ部分は、撮像ユニット保持筒１０８ｂにおいて導通板１１１が設けられている側面とは対向する側面に位置している。
【００２５】
ここで、シールドパイプ１０６および絶縁テープ１０７ｂが導通板１１１および撮像ユニット保持筒１０８を覆う長さについて説明する。シールドパイプ１０６が短すぎると、撮像素子ユニット１０８ａや撮像ユニット保持筒１０８ｂ内の電子部品等から発生する放射ノイズを除去する効果が低くなったり対物レンズ群１０３と撮像素子ユニット１０８ａおよび撮像ユニット保持筒１０８ｂとの光軸を合わせる際の位置決め精度が低下したりする。一方、シールドパイプ１０６が長すぎると、シールドパイプ１０６が第２のツナギ管１１４と導通しないようにシールドパイプ１０６の基端部を絶縁テープ１０７ｂで覆わなければならなくなるため、内視鏡先端部の細径化が図りにくくなる。そこで、放射ノイズを発生する電子部品等が撮像ユニット保持筒１０８ｂの先端側から奥行きの約３分の１の範囲に組み込まれていることを踏まえると、シールドパイプ１０６の長さは、撮像ユニット保持筒１０８ｂの奥行きの約３分の１に相当する位置まで延びていれば放射ノイズを除去するのに十分であると言える。そこで、シールドパイプ１０６は、撮像ユニット保持筒１０８ｂの奥行きの約３分の１に相当する位置まで延びて、かつ絶縁管１１３の基端を超えて延びないように設ける。
【００２６】
次に、絶縁テープ１０７ｂについては、撮像ユニット保持筒１０８ｂを覆う範囲が小さすぎると、導通板１１１の絶縁テープ１０７ｂで覆われていない部分と第２のツナギ管１１４とが導通してしまう可能性がある。また、絶縁テープ１０７ｂに覆われる範囲が大きすぎると、絶縁テープ１０７ｂがシールドパイプ１０６と重なってしまうため、内視鏡先端部の細径化が図りにくくなる。そこで、絶縁テープ１０７ｂは、撮像ユニット保持筒１０８ｂの先端に向かって絶縁管１１３の基端を超えて延びて、かつシールドパイプ１０６を覆わない位置まで延びるように巻き付ける。
【００２７】
以上のように、シールドパイプ１０６の基端と絶縁テープ１０７ｂの先端と絶縁管１１３の領域との相対位置を調整することで、絶縁管１１３により内視鏡先端部の絶縁性を確保しながら、シールドパイプ１０６と絶縁テープ１０７ｂとが重ならないようにして内視鏡先端部の細径化を図ることができる。
【００２８】
以上が本発明の実施形態に関する説明である。なお、上記の説明では絶縁管を設けているが、本発明の課題を解決する上では、ツナギ管と絶縁管を１つの絶縁部材としてもよいし、その他の手段を用いて内視鏡の体腔挿入管の先端本体部側と湾曲駒管などからなる湾曲基端部側との電気絶縁性を確保してもよい。
【符号の説明】
【００２９】
１００    本体部
１０２ａ，１０２ｂ，１０２ｃ    ケース筒
１０６    シールドパイプ
１０７ａ，１０７ｂ    絶縁テープ
１０８ｂ    撮像ユニット保持部
１１１    導通板
１１２    第１のツナギ管
１１３    絶縁管
１１４    第２のツナギ管
１１８    湾曲駒管
【図１】
2010268922.tif 000003
【図２】
2010268922.tif 000004
【図３】
2010268922.tif 000005
【図４】
2010268922.tif 000006
【図５】
2010268922.tif 000007